(57)【要約】【課題】  障子を定位置で停止できる建具の提供。【解決手段】  枠１と、枠１に開閉自在に支持した障子２とを備え、障子２は、開閉に伴い縦枠４に沿ってスライドするスライド軸５を有し、枠１は、縦枠４にスライド軸５を受ける可動式のストッパー７を有し、スライド軸５がストッパー７に当接することで障子２の開き角度が一定に保持され、スライド軸５が障子閉鎖時の位置からストッパー７に当接するまでの範囲が自然換気状態であり、スライド軸５がストッパー７を超えて移動することで強制換気状態となる。【選択図】      図３
2018172852.tif 000002
【特許請求の範囲】
【請求項１】
枠と、枠に開閉自在に支持した障子とを備え、障子は、開閉に伴い縦枠に沿ってスライドするスライド軸を有し、枠は、縦枠にスライド軸を受ける可動式のストッパーを有し、スライド軸がストッパーに当接することで障子の開き角度が一定に保持され、スライド軸が障子閉鎖時の位置からストッパーに当接するまでの範囲が自然換気状態であり、スライド軸がストッパーを超えて移動することで強制換気状態となることを特徴とする建具。
【発明の詳細な説明】
【技術分野】
【０００１】
本発明は、建具に関する。
【背景技術】
【０００２】
従来より、建築物外部を流れる自然風や建築物内外の気圧差等により、自動的に開閉して室内の自然換気が行える窓が知られている（例えば、特許文献１参照）。このような従来の自然換気窓においては、窓を左右に複数並べて配置したときに、左右の窓で障子の開き角度が異なることで、見た目が良くないという問題があった。
【先行技術文献】
【特許文献】
【０００３】
【特許文献１】特許第５９２６８４１号公報
【発明の概要】
【発明が解決しようとする課題】
【０００４】
本発明は以上に述べた実情に鑑み、障子を定位置で停止できる建具の提供を目的とする。
【課題を解決するための手段】
【０００５】
上記の課題を達成するために請求項１記載の発明による建具は、枠と、枠に開閉自在に支持した障子とを備え、障子は、開閉に伴い縦枠に沿ってスライドするスライド軸を有し、枠は、縦枠にスライド軸を受ける可動式のストッパーを有し、スライド軸がストッパーに当接することで障子の開き角度が一定に保持され、スライド軸が障子閉鎖時の位置からストッパーに当接するまでの範囲が自然換気状態であり、スライド軸がストッパーを超えて移動することで強制換気状態となることを特徴とする。
【発明の効果】
【０００６】
請求項１記載の発明による建具は、障子のスライド軸が枠のストッパーに当接することで、自然換気状態における障子の最大開き角度を定位置に設定できるので、窓を左右に並べて配置したときに統一感があり見た目が良い。また、スライド軸がストッパーを超えて移動することで、強制換気状態にできる。
【図面の簡単な説明】
【０００７】
【図１】本発明の建具の一実施形態を示す室内側正面図である。
【図２】図１のＡ−Ａ断面図であって、障子が開いた状態（自然換気状態）を示す。
【図３】図２の上部を拡大して示す縦断面図である。
【図４】図１のＢ−Ｂ断面図であって、障子が閉鎖した状態を示す。
【図５】図１のＡ−Ａ断面図であって、障子が全開した状態（強制換気状態）を示す。
【図６】（ａ）はストッパー装置の側面図、（ｂ）はストッパー装置の室内側正面図である。
【図７】障子が閉鎖した状態から自然換気状態までのストッパー装置の動作を示す説明図である。
【図８】障子が閉鎖した状態から強制換気状態までのストッパー装置の動作を示す説明図である。
【図９】強制換気状態から障子が閉鎖するまでのストッパー装置の動作を示す説明図である。
【図１０】図１のＣ−Ｃ断面図であって、障子が開いた状態（自然換気状態）を示す。
【図１１】開閉操作手段の動作を示す説明図である。
【図１２】ロック装置を示す平面図である。
【図１３】ロック装置を示す縦断面図である。
【図１４】ロック装置を示す斜視図である。
【図１５】ロック装置の動作を示す説明図である。
【図１６】（ａ）は衝撃吸収装置の第１実施形態を示す平面図、（ｂ）は同側面図である。
【図１７】第１実施形態の衝撃吸収装置の斜視図である。
【図１８】（ａ）は障子が閉鎖した状態における第１実施形態の衝撃吸収装置の平面図であり、（ｂ）は同側面図である。
【図１９】第１実施形態の衝撃吸収装置の動作を示す説明図である。
【図２０】衝撃吸収装置の第２実施形態を示す側面図である。
【図２１】第２実施形態の衝撃吸収装置の動作を示す説明図である。
【図２２】（ａ）は衝撃吸収装置の第３実施形態を示す正面図、（ｂ）は同側面図である。
【図２３】第３実施形態の衝撃吸収装置を縦枠に取付けた場合の動作を示す説明図である。
【図２４】（ａ）は第３実施形態の衝撃吸収装置を障子の下框に取付けた場合の平面図であり、（ｂ）は同側面図である。
【図２５−１】第３実施形態の衝撃吸収装置を障子の下框に取付けた場合の動作を示す説明図である。
【図２５−２】第３実施形態の衝撃吸収装置を障子の下框に取付けた場合の動作を示す説明図である。
【図２６】本発明に係る建具の他の実施形態を示す正面図である。
【図２７】同建具の側面図である。
【図２８】（ａ）は図２６のＤ−Ｄ断面図であり、（ｂ）は同じ位置での断面図であって、戸をストッパー装置により停止させた状態を示す。
【発明を実施するための形態】
【０００８】
以下、本発明の実施の形態を図面に基づいて説明する。図１〜１９は、本発明に係る建具の一実施形態を示している。本建具は、図１に示すように、上枠１９と下枠２０と左右の縦枠３，３を枠組みし、左右の縦枠３，３の中間部に無目２１を架設し、上枠１９と無目２１の中間部に方立４を架設して枠１が構成され、無目２１と下枠２０間の開口部にはガラスパネル２２を嵌め込んで嵌め殺し窓が構成してあり、上枠１９と無目２１間の開口部には、障子（戸）２，２が室外側に開く自然換気窓が連窓状に設けてある。左右の縦枠３，３の下部には、各障子２の開閉操作を行うハンドル２３が設けてある。
【０００９】
障子２は、上框２４と下框２５と左右の縦框２６，２６とを四周框組みし、その内側にガラスパネル２７を嵌め込んで構成してある。縦框２６の上端部には、図３，４に示すように、スライド軸５が側方に突出して設けてあり、スライド軸５の先端部にはローラー２８が取付けてあり、該ローラー２８は縦枠３と方立４の内周側面に長手方向に沿って設けたガイドレール２９に案内してある。これにより障子２は、上端部が上下方向にスライド自在に、且つ回転自在に、縦枠３及び方立４と連結されている。
図２に示すように、縦枠３及び方立４の内周側面の上枠１９と無目２１の略中央の位置には、障子支持アーム３０の一端部が回転自在に連結されており、障子支持アーム３０の他端部は、障子２の縦框２６の外周側面の上下方向中央位置よりも上側で回転自在に連結されている。
このように障子２は、スライド軸５と障子支持アーム３０とで枠１に支持され、スライド軸５が下方にスライドし且つ障子支持アーム３０が室外側に回動することで室外側に開く。本建具は、障子２が開くにつれて障子２の重心が若干下方に移動するようになっており、そのため無風状態では重力により障子２が開こうとし、また、僅かな自然風や室内外の気圧差により障子２がスムーズに開閉するようになっている。
【００１０】
左右の縦枠３，３の内周側面には、図１に示すように、ハンドル２３の操作に連動して上下にスライドする縦スライドバー３１が設けてあり、縦スライドバー３１の上端部には障子２の開閉を制御する開閉操作手段３２が設けてある。開閉操作手段３２は、図１０に示すように、障子支持アーム３０の縦枠３側の回転軸７５の近傍に位置し、縦スライドバー３１と共に上下動する操作部材３３と、障子支持アーム３０の外周面に突設した開閉操作ピン３４とから構成されている。
操作部材３３は、上方に位置する上方リブ３５と、下方に位置する下方リブ３６と、上方リブ３５と下方リブ３６とを連結する連結部３７を有している。上方リブ３５は、室内側から室外側に向かって上向きに傾斜した傾斜部３５ａと、傾斜部３５ａの上端より鉛直にのびる鉛直部３５ｂを有している。下方リブ３６は、室外側から室内側に向かって下向きに傾斜した傾斜部３６ａと、傾斜部３６ａの下端より下方にのびる鉛直部３６ｂを有している。
【００１１】
障子２が閉鎖した状態では、操作部材３３は最も上昇した位置にあって、図１１（ａ）に示すように、下方リブ３６の鉛直部３６ｂに開閉操作ピン３４が当接することで、障子支持アーム３０の室外側への回動が規制され、障子２が閉鎖状態にロックされている。
ハンドル２３を障子開き側に操作すると、図１１（ｃ）に示すように、操作部材３３が下降して開閉操作ピン３４が下方リブ３６の鉛直部３６ｂより離脱し、開閉操作ピン３４が上方リブ３５の傾斜部３５ａと下方リブ３６の傾斜部３６ａの間の範囲で障子支持アーム３０が自由に動ける状態となり、このとき障子２は自然風や室内外の気圧差により開閉する状態（自然換気状態）となる。
図１１（ｃ）に示す自然換気状態からハンドル２３を障子閉じ側に操作すると、図１１（ｂ）に示すように、操作部材３３が上昇し、開閉操作ピン３４が下方リブ３６の傾斜部３６ａに押されることで障子支持アーム３０が室内側に回動し、それに伴って障子２が閉じる。  
一方、図１１（ｃ）に示す自然換気状態からハンドル２３を障子開き側に操作すると、図１１（ｄ）に示すように、操作部材３３が下降し、開閉操作ピン３４が上方リブ３５の傾斜部３５ａに押されることで障子支持アーム３０が室外側に回動し、それに伴って障子２が開く。
その後、ハンドル２３をさらに障子開き側に操作し、操作部材３３が最も低い位置まで下降すると、図１１（ｅ）に示すように、開閉操作ピン３４が上方リブ３５の鉛直部３５ｂに当接することで障子支持アーム３０が約４５°傾いた状態でロックされ、障子２が約４５°開いた全開状態に維持される（強制換気状態）。
【００１２】
障子２のスライド軸５を案内するガイドレール２９は、図３に示すように、方立４の長手方向と平行な鉛直部２９ａと、鉛直部２９ａの上端と連続し室内側に向けて傾斜した傾斜部２９ｂを有している。障子２が閉鎖する際、スライド軸５が傾斜部２９ｂに沿って上昇することで障子２の上部が室内側に引き寄せられ、上枠１９のタイト材３８に圧接する。鉛直部２９ａの下端部には、下限ストッパー３９が設けてあり、障子２が全開したとき（強制換気状態）にスライド軸５が下限ストッパー３９に当接する。
【００１３】
図３に示すように、方立４の内周側面のガイドレール２９の室内側位置には、自然換気状態において障子２を一定の位置で停止するためのストッパー装置６が設けてある。ストッパー装置６は、図６に示すように、方立４の内周側面に取付けられるベース４０と、ベース４０上に立設した支軸４１に回転自在に軸支したストッパー７と、ベース４０上に取付けた回転式ダンパーを８有している。
ストッパー７は、室外側に向けて突出しスライド軸５の軌跡上に位置する突部４２と、支軸４１の下側に支軸４１と同心円状に設けたギヤ部４３を有している。支軸４１の根元側には、ストッパー７を時計方向に回転する向きで付勢するバネ４４が保持してあり、バネ４４の一端部４４ａはベース４０上に立設したバネ掛け軸４５に係止し、バネ４４の他端部４４ｂはストッパー７に係止している。ベース４０上には、前記バネ４４がストッパー７を時計方向に回転させる力を止めるストッパー軸４６が設けてあり、これによりストッパー７は、スライド軸５と接触していない状態では、図６に示す定位置に保持されている。支軸４１の先端側には、ストッパー７を反時計方向に回転する向きで付勢するバネ４７が設けてある。この支軸先端側のバネ４７は、支軸根元側のバネ４４よりも弱いものとなっている。
回転式ダンパー８は、市販のものであって、回転軸４８に取付けたピニオンギヤ４９がストッパー７のギヤ部４３と噛み合い、ストッパー７が支軸４１回りに回転するとそれに連動して回転軸４８が回転し、抵抗が生ずるものである。抵抗の強さは、回転軸４８の回転速度が速くなるにつれて大きくなる。また回転式ダンパー８は、回転軸４８が時計回りに回転するときに抵抗が強く、回転軸４８が反時計回りに回転するときは抵抗が弱いものとなっている。
【００１４】
図７は、障子２が閉鎖した状態から自然換気状態までのストッパー装置６の動作を示している。図７（ａ）は、障子２が閉鎖した状態を示しており、このときスライド軸５はガイドレール２９上部の傾斜部２９ｂに位置しており、ストッパー７から離れている。
ハンドル２３を障子開き側に操作すると、先に説明したように操作部材３３による障子支持アーム３０のロックが解除されると共に、ハンドル操作に連動して無目２１上をスライドする障子押出し部材７１（図２４，２５参照）が障子２の下部を室外側に押すことで障子２が開き、それに伴ってスライド軸５が下降し、図７（ｂ）に示すように、スライド軸５がストッパー７の突部４２に接触する。ストッパー７は、スライド軸５に押されて反時計回りに回転し、すると支軸根元側のバネ４４によりストッパー７を時計回りに押し返す力が働くと共に、回転式ダンパー８によりストッパー７の回転を抑える抵抗が働く。
図７（ｃ）に示すように、障子２に負圧を受けるなどして障子２がさらに開いてスライド軸５が下降すると、スライド軸５に押されることでストッパー７が反時計回りに回転し、支軸根元側のバネ４４がストッパー７を時計回りに押し返し、同時に回転式ダンパー８によりストッパー７の回転を抑える抵抗が働く。
その後、スライド軸５の下向きの力が支軸根元側のバネ４４の反力よりも小さくなると、図７（ｄ）に示すように、支軸根元側のバネ４４の反力により、ストッパー７は図７（ｂ）の位置まで戻る。
【００１５】
このように本建具は、スライド軸５がストッパー７に当接することで、無風状態のときに障子２を一定の位置で停止することができ、また、自然風や室内外の気圧差により、スライド軸５が図７（ａ）に示す障子閉鎖時の位置から、図７（ｄ）に示すストッパー７に当接する位置までの範囲で上下動するのに伴って自然に開閉し、換気がなされる（自然換気状態）。ストッパー７がスライド軸５に押されて定位置から回転したときに、ストッパーを押し返すバネ４４と、ストッパー７の回転に対して抵抗を与える回転式ダンパー８を備えているので、障子２を定位置に停止する際の衝撃を吸収し、障子２のばたつきを抑えられる。
【００１６】
図８は、障子２が閉鎖した状態から強制換気状態までのストッパー装置６の動作を示している。図８（ａ）に示すように、障子２が閉鎖した状態ではスライド軸５はストッパー７から上方に離間しており、ストッパー７は定位置に停止している。
ハンドル２３を障子開き側に操作して障子２が開くと、図８（ｂ）に示すように、スライド軸５が下降してストッパー７に当接し、ストッパー７はスライド軸５に押されて反時計回りに回転する。このとき、支軸根元側のバネ４４によりストッパー７を時計回りに押し返す力が働き、且つ回転式ダンパー８によりストッパー７の回転に対して抵抗が働く。
その後、ハンドル２３をさらに障子開き側に操作すると、図８（ｃ）に示すように、ストッパー７はスライド軸５に押されてさらに反時計方向に回転し、ギヤ部４３のピニオンギヤ４９との噛み合いが外れる。これにより回転式ダンパー８の抵抗がなくなり、ハンドル２３の操作力が小さくなる。
その後、ハンドル２３をさらに障子開き側に操作すると、図８（ｄ）に示すように、スライド軸５がストッパー７を超えて下方にスライドし、ガイドレール２９下端部の下限ストッパー３９に当接して停止する。これにより障子２が約４５°開いた状態で保持される。ストッパー７は、スライド軸５がストッパー７の突部４２を超えて下にスライドした後、支軸根元側のバネ４４の反力により時計回りに回転し、図８（ａ）の障子閉鎖時の状態に復帰する。このとき、回転式ダンパー８の回転方向は逆向き（反時計方向）になるので抵抗は小さい。
【００１７】
このように本建具は、スライド軸５のストッパー７を回転式とし、スライド軸５がストッパー７を超えて下方に移動することで、強制換気状態にできる。強制換気状態にする際には、ギヤ部４３とピニオンギヤ４９の噛み合いが外れることで回転式ダンパー８の抵抗が働かないため、操作力を小さくできる。
【００１８】
図９は、強制換気状態から障子が閉鎖した状態までのストッパー装置６の動作を示している。図９（ａ）に示すように、強制換気状態ではスライド軸５はストッパー７から下方に離間しており、ストッパー７は定位置に停止している。
ハンドル２３を障子閉じ側に操作すると、図９（ｂ）に示すように、障子２が閉まるのに伴ってスライド軸５が上昇し、スライド軸５がストッパー７の突部４２に下から接触する。
その後、ハンドル２３をさらに障子閉じ側に操作すると、図９（ｃ）に示すように、スライド軸５に押されてストッパー７が時計回りに回転する。このとき、支軸先端側の弱いバネ４７の反力のみが生じ、支軸根元側のバネ４４の反力は生じない。また、ギヤ部４３がピニオンギヤ４９から外れるため、回転式ダンパー８の抵抗も生じない。
その後、ハンドル２３をさらに障子閉じ側に操作すると、図９（ｄ）に示すように、スライド軸５がストッパー７の突部４２を乗り越えて上方にスライドし、ストッパー７は支軸先端側のバネ４７の反力により、元の位置に復帰する。
【００１９】
以上に述べたように本建具は、障子２のスライド軸５が方立４のストッパー７に当たることで障子２を定位置で停止することができ、連窓の複数の障子２，２が同じ定位置で停止することで、統一感があり見た目が良い。また、スライド軸５に押されてストッパー７が定位置から動いたときにダンパー８が働くので、障子２を定位置に停止する際の衝撃を吸収できる。
ストッパー７は、スライド軸５と当接し得る定位置に向けて付勢してあるので、ストッパー７が定位置から動いてダンパー８が働いた後、ストッパー７を定位置に戻すことができる。
ストッパー７は回転可能に設けてあり、ダンパー８はストッパー７と噛み合う回転式ダンパー８としたので、ストッパー装置６をコンパクトにでき、建具のサイズによらず取付可能である。
さらに本建具は、スライド軸５がストッパー７を超えて移動可能なため、障子２を定位置より大きく開けることも可能である。
【００２０】
本建具は、障子２のスライド軸５が縦枠（方立４）のストッパー７に当接することで、自然換気状態における障子２の最大開き角度を定位置に設定できるので、窓を左右に並べて配置したときに左右の障子２，２が同じ位置で停止するため、統一感があり見た目が良い。また、スライド軸５がストッパー７を超えて移動することで、強制換気状態にできる。
さらに本建具は、スライド軸５がストッパー７に当接しているときにストッパー７の動きを抑えるダンパー８を備えているので、障子２を停止する際の衝撃を吸収し、障子２のばたつきを抑えられる。また、ストッパー７がスライド軸５に押されて所定の角度以上回転すると、回転式ダンパー８の抵抗がなくなるので、強制換気状態にする際の操作力を小さくできる。
【００２１】
本建具は、ハンドル２３を障子閉じ側に操作して障子２を閉鎖した際、閉鎖動作と連動して障子２のロックを行うロック装置９を備えている。図１２，１３に示すように、無目２１の上面には横スライドバー５１が無目２１の長手方向にスライド自在に設けてあり、横スライドバー５１は、図１に示すように、縦枠３に沿ってスライドする縦スライドバー３１とコーナードライブ５２により連結してある。したがって、ハンドル２３を操作して縦スライドバー３１が上下にスライドすると、横スライドバー５１がそれに連動して左右にスライドする。
【００２２】
ロック装置９は、図１２〜１４に示すように、横スライドバー５１に垂直な支軸５３で回動可能に軸着した引寄せ部材１０と、引寄せ部材１０の前記支軸５３と反対側の室外側に設けたロックピン１１と、障子２の下框２５に設けてあり、ロックピン１１と係脱するロック受け１２を有している。引寄せ部材１０には、左右方向に沿って長孔５４が設けてあり、長孔５４には左右方向の一方側に偏った位置に室内側に向けて突出した谷部５５を有している。無目２１には姿勢規制ピン５６が固定して設けられ、該姿勢規制ピン５６は引寄せ部材１０の長孔５４に挿入されている。引寄せ部材１０は、バネ５７により時計方向に回転する向きで付勢されている。引寄せ部材１０の先端部室外側には、引寄せ部材１０が障子２と衝突するのを防ぐためにゴムローラー５８が取付けてある。
【００２３】
図１５（ａ）に示すように、障子２が開いた状態（自然換気状態又は強制換気状態）のときには、引寄せ部材１０は左側にスライドした位置にあって、無目２１に固定した姿勢規制ピン５６が長孔５４の谷部５５より右側の無目２１の長手方向と平行な室内側縁５４ａに係止し、引寄せ部材１０は無目２１の長手方向と平行な向きに保持されている。
ハンドル２３を障子閉じ側に操作すると、障子２が閉まるにつれて引寄せ部材１０が右側にスライドし、図１５（ｂ）に示すように、ロックピン１１が障子２のロック受け１２と接触するよりも前に、無目２１に固定した姿勢規制ピン５６が引寄せ部材１０の長孔５４の谷部５５に入り込むことで、引寄せ部材１０が支軸５３を支点に室外側に回転する。これによりロックピン１１が室外側に移動し、障子２のロック受け１２を迎えに行くような形になる
その後、図１５（ｃ）に示すように、無目２１に固定した姿勢規制ピン５６が引寄せ部材１０の長孔５４の谷部５５内を移動する間に、引寄せ部材１０のロックピン１１が障子２のロック受け１２と接触する。
その後、引寄せ部材１０が右方向に引っ張られながら、無目２１に固定した姿勢規制ピン５６が引寄せ部材１０の長孔５４の谷部５５の傾斜部５５ａに乗り上げることで、引寄せ部材１０が支軸５３を支点に室内向きに回転し、このとき既にロックピン１１がロック受け１２と係合しているため、障子２が室内側に引き寄せられる。
その後、図１５（ｅ）に示すように、無目２１に固定した姿勢規制ピン５６が引寄せ部材１０の谷部５５より左側の無目長手方向と平行な室内側縁５４ｂに乗り上げることで、引寄せ部材１０が無目２１の長手方向と平行な向きに戻り、障子２が閉鎖しロックされた状態となる。
【００２４】
以上に述べたように本建具は、枠１（無目２１）に障子２の開閉に連動してスライドする引寄せ部材１０を有し、引寄せ部材１０は、障子２のロック受け１２と係脱するロック部材（ロックピン）１１を有し、障子２が閉まり切る前の状態でロック部材１１がロック受け１２に係合し、ロック部材１１がロック受け１２に係合すると引寄せ部材１０が室内向きに回転して障子２を室内側に引き寄せるので、障子閉鎖時に障子２に負圧がかかっていてもロックの空掛けを防止できる。
引き寄せ部材１０は、障子２が開いた状態で枠１（無目２１）の長手方向と平行な姿勢になっており、障子２が閉まる時にいったん室外向きに回転してから室内向きに回転するので、障子２が開いているときに引寄せ部材１０が枠１の見込寸法内に納まり、引寄せ部材１０が邪魔にならない。
【００２５】
さらに本建具は、図１，２に示すように、自然換気状態で障子２が強風にあおられて勢いよく閉まったときに、その衝撃を吸収するための衝撃吸収装置１３を備えている。図１６〜１９は、衝撃吸収装置１３の第１実施形態を示している。この衝撃吸収装置１３は、枠１（方立４）の内周側面に取付けたものであって、方立４にネジで固定したベース５９と、ベース５９に軸支した衝撃吸収アーム１４と、ベース５９に取付けた回転式ダンパー１７を有している。
衝撃吸収アーム１４は、ベース５９に立設した回転軸６０に軸支した第１のアーム１４ａと、第１のアーム１４ａよりも上方位置の別の回転軸６１により軸支した第２のアーム１４ｂの２つのアームで構成されており、第２のアーム１４ｂは、図１７に示すように、室外側に向けて回転するようにバネ６２で付勢してあり、第２のアーム６２の先端部に設けたピン６３が第１のアーム１４ａに設けた長孔６４に係止しており、障子２が開いた状態では前記ピン６３が前記長孔６４の回転軸６０側の端部に係止し、衝撃吸収アーム１４は約４５°傾いて枠１から室外側に飛び出した姿勢に保持される。第１のアーム１４ａの先端部には、障子当接部となるゴムローラー１８が設けてある。ゴムローラー１８は、衝撃吸収アーム１４が障子２に押されて室内側に回動するときの作用点となるものであり、図１８（ａ）に示すように、障子２の縦框２６の室外側に外周側に突出して設けられたフィン６６に当接するものである。第１のアーム１４ａの回転軸６０に対してゴムローラー１８（作用点）の反対側には、ギヤ１５が第１のアーム１４ａに固定して設けてあり、障子閉鎖時に第１のアーム１４ａが室内側に向けて回転すると、ギヤ１５も回転軸６０を中心として回転する。
回転式ダンパー１７は、第１のアーム１４ａの回転軸６０の下方に配置されており、回転軸６８に取付けたピニオンギヤ１６が衝撃吸収アーム１４のギヤ１５と噛み合い、衝撃吸収アーム１４が回転するとそれに連動して回転軸６８が回転し、抵抗が生ずるものである。抵抗の強さは、回転軸６８の回転速度が速くなるにつれて大きくなる。衝撃吸収アーム１４のギヤ１５と回転式ダンパー１７のピニオンギヤ１６のピッチ円直径の比は６：１になっており、したがって衝撃吸収アーム１４の回転に対して回転式ダンパー１７の回転が６倍に増速される。
【００２６】
自然換気状態において障子２が正圧を受けて閉まると、図１９に示すように、ゴムローラー１８が障子２に押されて衝撃吸収アーム１４が室内側に向けて回転する。このとき、バネ６２により衝撃吸収アーム１４を室外側に押し返す反力が作用すると共に、回転式ダンパー１７が衝撃吸収アーム１４の動きに連動して回転することで、衝撃吸収アーム１４の回転を抑える抵抗が生ずる。これにより障子２が閉まる際の衝撃が吸収され、騒音の発生、障子２や枠１の破損を防止できる。
回転式ダンパー１７による抵抗の強さは、衝撃吸収アーム１４の動くスピードに応じて強くなるため、風速５ｍ以下では衝撃吸収アーム１４の動くスピードがゆっくりなので、回転式ダンパー１７の抵抗は弱く、専らバネ６２により衝撃を吸収する。風速５ｍ以上になると、衝撃吸収アーム１４の動きが速くなるので、主に回転式ダンパー１７で衝撃を吸収する。
ハンドル２３を操作して障子２を閉じる際には、衝撃吸収アーム１４がゆっくり動くため、回転式ダンパー１７の抵抗は弱くなる。障子２が閉鎖すると、図１８に示すように、衝撃吸収アーム１４を含めて衝撃吸収装置１３の全体が枠１の見込み内に納まる。
【００２７】
以上に述べたように本建具は、障子２が閉まる際の衝撃を吸収する衝撃吸収装置１３を備えているので、障子２が風を受けて閉まる際の衝撃を吸収し、窓の破損や衝撃音を防止できる。衝撃吸収装置１３は、障子２の閉鎖に伴って回動する衝撃吸収アーム１４と、衝撃吸収アーム１４の回転軸６０に対して作用点（ゴムローラー１８）の反対側においてギヤ１５，１６を介して衝撃吸収アーム１４の動きに連動して回転する回転式ダンパー１７とで構成したので、構造が簡単で、安価にできる。
衝撃吸収装置１３は、障子２が開いた状態で衝撃吸収アーム１４先端の障子当接部（ゴムローラー１８）が枠１の室外側に飛び出しており、障子当接部の室内外方向のストロークが大きいため、障子２の動きを制御できる範囲が大きく、衝撃吸収性能が高い。しかも、障子２が閉鎖した状態では衝撃吸収装置１３の全体が枠１の見込み内に納まり、衝撃吸収装置１３が枠１の室内側に突出しないことで、衝撃吸収装置１３が邪魔にならず、また、窓の内観意匠を向上できる。
回転式ダンパー１７は、ギヤ１５，１６を介して衝撃吸収アーム１４の動きに連動して回転するようにしたので、衝撃吸収アーム１４の回転に対して回転式ダンパー１７の回転を速く・大きくでき、それにより小型のダンパーで効率よく衝撃を吸収することができる。
【００２８】
図２０は、衝撃吸収装置１３の第２実施形態を示している。本実施形態も枠１に取付けられるものであって、障子当接部となるゴムローラー１８がギヤ１５が取付けられた第１のアーム１４ａではなく、バネ６２で付勢された第２のアーム１４ｂの先端部に取付けてある。第１のアーム１４ａには第２のアーム１４ｂに取付けたピン６３が係合する長孔６４が設けてあり、該長孔６４は両端部に第１のアーム１４ａの長手方向に対して傾斜した傾斜部６４ａ，６４ｂを有し、中間部に第１のアーム１４ａの長手方向と平行な平行部６４ｃを有する波形の形状となっている。
【００２９】
この衝撃吸収装置１３は、第２のアーム１４ｂが障子２に押されて回転し、ギヤ１５が取付けられた第１のアーム１４ａは長孔６４に係合したピン６３に引っ張られて回転する。障子２に当接する初期段階においては、図２１（ａ）に示すように、ピン６３が長孔６４の傾斜部６４ａに位置するため、第２のアーム１４ｂの回転量に対して第１のアーム１４ａの回転量が小さくなり、したがって回転式ダンパー１７の抵抗が小さい。ある程度室内側に回転すると、図２１（ｂ），（ｃ）に示すように、ピン６３が長孔６４の平行部６４ｃに位置するため、第１のアーム１４ａの回転量が第２のアーム１４ｂの回転量とほぼ同じになり、したがって回転式ダンパー１７の抵抗が強くなる。障子２が閉まり切る直前になると、図２１（ｄ）に示すように、ピン６３が長孔６４の傾斜部６４ｂに位置するため、第２のアーム１４ｂの回転量に対して第１のアーム１４ａの回転量が小さくなり、したがって回転式ダンパー１７の抵抗が小さい。
このように本実施形態の衝撃吸収装置１３は、障子当接部（ゴムローラー１８）が障子２に当接してから障子２が閉鎖するまでの衝撃吸収アーム１４の動きの中で、初めと終わりに抵抗を弱く、中間で抵抗を強くすることができ、これによりハンドル２３を操作して障子２を閉じる際に、違和感なくスムーズに操作できる。
【００３０】
図２２は、衝撃吸収装置１３の第３実施形態を示している。この衝撃吸収装置１３は、衝撃吸収アーム１４が単一のアームで構成され、その先端部に作用点となるゴムローラー１８が設けてあり、衝撃吸収アーム１４の回転軸６０に対してゴムローラー１８と反対側にギヤ１５が設けてあり、ギヤ１５が回転式ダンパー１７の回転軸６８に取付けたピニオンギヤ１６と噛み合っている。衝撃吸収アーム１４は、バネ６２によりゴムローラー１８が室外側に突出する向きで付勢されており、ベース５９に固定したピン７０を衝撃吸収アーム１４に設けた長孔６４に係合することで、衝撃吸収アーム１４の可動範囲を規制している。本衝撃吸収装置１３は、障子２が開いた状態のときも全体が枠１の見込み内に納まっている。
【００３１】
本衝撃吸収装置１３は、図２３に示すように、方立４の内周側面のガイドレール２９の下部付近に取付けられ、障子２が閉まる際にゴムローラー１８が障子支持アーム３０に当接して押されることで衝撃吸収アーム１４が室内側に回転し、バネ６２の反力と回転式ダンパー１７の抵抗により、障子２が閉まる際の衝撃を吸収できる。
【００３２】
第３実施形態の衝撃吸収装置１３は、図２４に示すように、障子２の下框２５に取付けることもできる。図中の符号７１は、横スライドバー５１と共に左右にスライドし、障子２を開く際に障子２の下部を室外側に押出すための障子押出し部材である。
【００３３】
図２５−１（ａ）に示すように、障子２が閉鎖した状態では、障子押出し部材７１は衝撃吸収アーム１４のゴムローラー（枠当接部）１８の横に逃げた位置にある。
ハンドル２３を障子開き側に操作すると、図２５−１（ｂ）に示すように、障子押出し部材７１が衝撃吸収装置１３側にスライドし、ゴムローラー１８が障子押出し部材７１の傾斜面７１ａによって押されることで、障子２が開く。
自然換気状態のときは、図２５−１（ｃ）に示すように、衝撃吸収アーム１４のゴムローラー１８が障子押出し部材７１の室外側に対向する位置にあり、障子２が自然風や室内外の気圧差によって閉じると、図２５−２（ｄ）に示すように、ゴムローラー１８が枠１の障子押出し部材７１に当接することで衝撃吸収アーム１４が回転し、バネ６２の反力と回転式ダンパー１７の抵抗により、障子２が閉まる際の衝撃が吸収される。
ハンドル２３を操作して障子２を閉鎖する際には、図２５−２（ｅ）に示すように、障子２が閉まるにつれて障子押出し部材７１が側方にスライドするため、衝撃吸収装置１３が障子２の閉鎖を妨げず、ハンドル２３の操作力が重くならない。
【００３４】
図２６〜２８は、本発明に係る建具の他の実施形態を示している。本建具は、ハンガー式の間仕切りに適用したものであり、天井等に固定されるレール７２と、レール７２に吊り戸車７３とスライド軸５により吊り下げられ、レール７２に沿ってスライド可能とした戸７４と、レール７２に隣接して取付けたストッパー装置６とを備える。ストッパー装置６は、先に説明した図６等に示すものと同じものである。
【００３５】
本建具は、図２８（ａ）に示すように、戸７４を右方向にスライドして開けると、ストッパー７がスライド軸５に押されて反時計方向に回転し、スライド軸５がストッパー７を超えて右方向にスライドできる。
戸７４を左方向にスライドして閉める際には、図２８（ｂ）に示すように、スライド軸５がストッパー７に当接することで、戸７４が定位置で停止する。これにより、戸７４と壁等の間に指を挟んだりするのを防止できる。戸を７４ストッパー７で停止する際、ストッパー７を定位置に付勢するバネ４４の反力と、回転式ダンパー８の抵抗が働くので、戸７４を定位置に停止する際の衝撃を吸収できる。
【００３６】
本発明は以上に述べた実施形態に限定されない。枠や障子の構成、障子の開き方は、任意である。ストッパーの形状、配置等は、適宜変更することができる。ストッパー装置は、ダンパーを有しないものであってもよい。本発明は、連窓に限らず単窓にも適用できる。
【符号の説明】
【００３７】
１  枠
２  障子（戸）
３  縦枠
４  方立（縦枠）
５  スライド軸
６  ストッパー装置
７  ストッパー
８  回転式ダンパー（ダンパー）
９  ロック装置
１０  引寄せ部材
１１  ロックピン（ロック部材）
１２  ロック受け
１３  衝撃吸収装置
１４  衝撃吸収アーム
１５  ギヤ
１６  ピニオンギヤ（ギヤ）
１７  回転式ダンパー
１８  ゴムローラー（作用点）
７２  レール（枠）
７４  戸
【図１】
2018172852.tif 000003
【図２】
2018172852.tif 000004
【図３】
2018172852.tif 000005
【図４】
2018172852.tif 000006
【図５】
2018172852.tif 000007
【図６】
2018172852.tif 000008
【図７】
2018172852.tif 000009
【図８】
2018172852.tif 000010
【図９】
2018172852.tif 000011
【図１０】
2018172852.tif 000012
【図１１】
2018172852.tif 000013
【図１２】
2018172852.tif 000014
【図１３】
2018172852.tif 000015
【図１４】
2018172852.tif 000016
【図１５】
2018172852.tif 000017
【図１６】
2018172852.tif 000018
【図１７】
2018172852.tif 000019
【図１８】
2018172852.tif 000020
【図１９】
2018172852.tif 000021
【図２０】
2018172852.tif 000022
【図２１】
2018172852.tif 000023
【図２２】
2018172852.tif 000024
【図２３】
2018172852.tif 000025
【図２４】
2018172852.tif 000026
【図２５−１】
2018172852.tif 000027
【図２５−２】
2018172852.tif 000028
【図２６】
2018172852.tif 000029
【図２７】
2018172852.tif 000030
【図２８】
2018172852.tif 000031